(57)【要約】      （修正有）【課題】電動開錠または手動開錠方式で錠前のロック状態を解除し、またラッチの施錠または開錠の状態を知ることができる電動および手動で開閉する錠前を提供する。【解決手段】錠前１００は、錠前本体、ラッチ２、ストッパー３、シリンダー４、モータ５および信号制御装置を含む。ラッチ２は、錠前本体の固定部に沿って移動し、固定部の中に設置する。ラッチ２が固定部から伸び出て錠前本体の開口１２１を閉合すると、施錠機能が実行される。ラッチ２が固定部へ縮小して引き戻されると、開口１２１が表れ、開錠の状態となる。シリンダー４の開錠シャフトを手動で開錠する時、ストッパー３の当接部を押すか、またはモータ５の作動シャフトが回転させ且つストッパー３の支持部を押すと、ストッパー３を変位させ、ストッパー３の定位部３１がラッチ２の定位孔から離れ、ラッチ２を固定部へ縮小して引き戻される。信号制御装置はストッパー３の変位状態およびモータ５の作動シャフトの位置を感知する。【選択図】図２
0003230956.tif 000002
【実用新案登録請求の範囲】
【請求項１】
電動および手動で開閉する錠前において、
納置部および固定部を含み、前記固定部には開口を形成する錠前本体と、
定位孔を有し、前記固定部成型方向に沿って移動する方式で前記固定部の中に設置され、前記固定部から伸び出て前記開口を閉合すると、施錠機能が実行され、前記固定部へ縮小して引き戻されると、前記開口が表れ、開錠の状態となるラッチと、
定位部、当接部、支持部およびストッパー感知部を有し、前記錠前本体の納置部に設置し、且つ前記定位部が前記ラッチで前記開口を閉合した時、前記定位孔に挿入されて前記ラッチの施錠状態を保つストッパーと、
カギ孔および開錠シャフトを有し、前記納置部に設置し、且つ前記カギ孔を前記納置部から露出させ、更に前記開錠シャフトは前記ストッパーの当接部に当接し、カギを前記カギ孔に挿入して回し手動開錠すると、前記開錠シャフトは回転し且つ前記当接部を押して前記ストッパーを変位させ、前記ストッパーの定位部が前記ラッチの定位孔から離れ、前記ラッチを前記固定部へ縮小して引き入れるシリンダーと、
作動シャフトを有し、前記納置部に設置し、前記作動シャフトは前記ストッパーの支持部で当接し、開錠信号を受信すると、前記作動シャフトが回転して前記支持部を押して前記ストッパーを変位させ、前記ストッパーの定位部を前記ラッチの定位孔から離し、更に前記作動シャフトはシャフトセンサー部を有するモータと、
ストッパー位置センサーと作動シャフトセンサーを有し、前記納置部に設置し、且つ設定した開錠スマートキーまたはブルーツゥースの無線信号を感知すると、開錠信号を発信し、前記ストッパー位置センサーは前記ストッパーのストッパー感知部で支持し、前記ストッパーの変位状態を感知して前記ストッパーの施錠、開錠の状態を知ることができ、更に前記作動シャフトセンサーは前記作動シャフトのシャフトセンサー部で支持し、前記モータの作動シャフトの位置を感知する信号制御装置と、
を含むことを特徴とする電動および手動で開閉する錠前。
【請求項２】
前記固定部は円弧形外形で中空構造であり、且つ前記ラッチは円弧形構造で前記固定部の中空構造に縮小して引き戻り、前記ラッチは前記固定部から伸びて前記開口を塞いだ時、前記固定部と円環を塞いだ構成となることを特徴とする請求項１記載の電動および手動で開閉する錠前。
【請求項３】
前記ラッチは引張りばねで前記固定部に接続し、外からの力が前記引張りばねの弾力より大きいと、前記ラッチを前記固定部から引き出して前記開口を閉合し、更に前記引張りばねの弾力で前記ラッチを引き戻すことを特徴とする請求項１記載の電動および手動で開閉する錠前。
【請求項４】
前記ストッパーの定位部は円柱体で前記ストッパーの辺縁から突出することを特徴とする請求項１記載の電動および手動で開閉する錠前。
【請求項５】
前記ストッパーの当接部は前記開錠シャフトを当接するために、前記ストッパーに穿設した通孔であることを特徴とする請求項１記載の電動および手動で開閉する錠前。
【請求項６】
前記ストッパーの支持部は、前記作動シャフトを当接するために、前記ストッパーの辺縁に凹槽を成形することを特徴とする請求項１記載の電動および手動で開閉する錠前。
【請求項７】
前記作動シャフトは、前記モータの出力軸に相対して偏心設置されることを特徴とする請求項１記載の電動および手動で開閉する錠前。
【請求項８】
前記信号制御装置は電池セットを有し、前記モータに電源を提供することを特徴とする請求項１記載の電動および手動で開閉する錠前。
【請求項９】
前記信号制御装置はアンテナ部材を有し、前記開錠スマートキーまたはブルーツゥースの無線信号を受信することを特徴とする請求項１記載の電動および手動で開閉する錠前。
【考案の詳細な説明】
【技術分野】
【０００１】
本考案は、錠前に関するもので、特に電動および手動で開閉する錠前に係る。
【背景技術】
【０００２】
電子錠は、ユーザーが手持のスマートキーを電子錠のアンテナ部材に近づけて感知させることにより、電子錠のロック状態を解除する。更に電子錠に設置した電池は、電子錠の施錠および開錠操作の電源となる。それらにより、ユーザーは簡便なスマートキーで電子錠のロック状態のツールを解除でき、ユーザーは重い金属カギを携帯しなくて済む。
【０００３】
しかしながら、従来の電子錠は設置の電池が不足すると、電子錠は電子錠のロック状態が解除できなくなる。更に、電子錠内部の電子部材に故障が発生すると、電子錠はロック状態を解除できなくなり、ユーザーを苦境に陥れる。
【考案の概要】
【考案が解決しようとする課題】
【０００４】
電子錠に依る電子部材の故障または電源供給中断を原因とする解錠無効の問題を解決する電動および手動で開閉する錠前を提供することを本考案の課題とする。
【課題を解決するための手段】
【０００５】
本考案は、公知技術の問題を解決するため、電動および手動で開閉する錠前を提供し、それは以下を含む。
錠前本体は、納置部および固定部を含み、固定部には開口を形成する。
ラッチは、定位孔を有し、ラッチは固定部成型方向に沿って移動する方式で固定部の中に設置され、ラッチが固定部から伸び出て開口を閉合すると、施錠機能が実行され、ラッチが固定部へ縮小して引き戻されると、開口が表れ、開錠の状態となる。
ストッパーは、定位部、当接部、支持部およびストッパー感知部を有し、ストッパーは錠前本体の納置部に設置し、且つ定位部がラッチで開口を閉合した時、定位孔に挿入されてラッチの施錠状態を保つ。
シリンダーは、カギ孔および開錠シャフトを有する。シリンダーは納置部に設置し、且つカギ孔を納置部から露出させる。更に開錠シャフトはストッパーの当接部で当接し、カギをカギ孔に挿入してシリンダーを回転し手動開錠すると、開錠シャフトは回転し且つ当接部を押してストッパーを変位させる。ストッパーの定位部はラッチの定位孔から離れ、ラッチを固定部へ縮小して引き入れる。
モータは、作動シャフトを有し、モータは納置部に設置する。作動シャフトはストッパーの支持部に当接し、モータが開錠信号を受信すると、作動シャフトが回転して支持部を押しストッパーを変位させ、ストッパーの定位部をラッチの定位孔から離し、更に作動シャフトはシャフトセンサー部を有する。
信号制御装置は、ストッパー位置センサーおよび作動シャフトセンサーを有し、信号制御装置は納置部に設置する。信号制御装置が設定した開錠スマートキーまたはブルーツゥースの無線信号を感知すると、開錠信号を発信し、ストッパー位置センサーはストッパーのストッパー感知部で支持し、ストッパーの変位状態を感知してストッパーの施錠、開錠の状態を知ることができ、更に作動シャフトセンサーは作動シャフトのシャフトセンサー部で支持しモータの作動シャフトの位置を感知する。
【０００６】
本考案の実施例において電動および手動で開閉する錠前を提供する。そのうち、固定部は円弧形外形で中空構造であり、且つラッチは円弧形構造で固定部の中空構造に縮小して引き戻り、ラッチは固定部から伸びて開口を塞いだ時、固定部と円環を塞いだ構成となる。
【０００７】
本考案の実施例において電動および手動で開閉する錠前を提供する。そのうち、ラッチは引張りばねで固定部に接続し、外からの力が引張りばねの弾力より大きいと、ラッチを固定部から引き出して開口を閉合し、また引張りばねの弾力でラッチを引き戻す。
【０００８】
本考案の実施例において電動および手動で開閉する錠前を提供する。そのうち、ストッパーの定位部は円柱体でストッパーの辺縁から突出する。
【０００９】
本考案の実施例において電動および手動で開閉する錠前を提供する。そのうち、ストッパーの当接部は開錠シャフトを当接するために、ストッパーに穿設した通孔である。
【００１０】
本考案の実施例において電動および手動で開閉する錠前を提供する。そのうち、ストッパーの支持部は作動シャフトを当接するために、ストッパーの辺縁に凹槽を成形する。
【００１１】
本考案の実施例において電動および手動で開閉する錠前を提供する。そのうち、作動シャフトはモータの出力軸に相対して偏心設置される。
【００１２】
本考案の実施例において電動および手動で開閉する錠前を提供する。そのうち、信号制御装置は電池セットを有しモータに電源を提供する。
【００１３】
本考案の実施例において電動および手動で開閉する錠前を提供する。そのうち、信号制御装置はアンテナ部材を有し、開錠スマートキーまたはブルーツゥースの無線信号を受信する。
【考案の効果】
【００１４】
本考案の電動および手動で開閉する錠前は、電動開錠（例としてスマートキー、ブルーツゥース等機能の感知開錠）または手動開錠（即ち、カギでシリンダーを回転して開錠）の方式で錠前のロック状態を解除する。更に本考案の錠前のラッチの施錠または開錠の状態を知ることができるという効果を有する。
【図面の簡単な説明】
【００１５】
【図１】本考案の実施例で電動および手動で開閉する錠前の施錠状態の外観指示図である。
【図２】本考案の実施例で電動および手動で開閉する錠前の分解指示図である。
【図３】本考案の実施例のラッチ、ストッパー、シリンダーおよびモータ間の連接関係指示図である。
【図４】本考案の実施例のラッチ、ストッパー、シリンダーおよびモータ間の連接関係の別角度からの指示図である。
【図５】本考案の実施例で電動および手動で開閉する錠前が電動開錠する指示図である。
【図６】本考案の実施例で電動および手動で開閉する錠前が手動開錠する指示図である。
【図７】本考案の実施例で電動および手動で開閉する錠前の開錠状態の外観指示図である。
【図８】本考案の実施例で電動および手動で開閉する錠前の施錠状態の別の角度からの外観指示図である。
【考案を実施するための形態】
【００１６】
（一実施形態）
以下は、図１から図８を示しながら本考案の実施方式を説明したものである。説明は、本考案の実施方式を制限することはなく、本考案の実施例の一種にすぎない。
【００１７】
図１から図４に示すとおり、本考案の実施例にもとづく電動および手動で開閉する錠前１００は、錠前本体１、ラッチ２、ストッパー３、シリンダー４、モータ５および信号制御装置６を含む。本考案の電動および手動で開閉する錠前１００は、電動開錠（例としてスマートキー、ブルーツゥース等機能の感知開錠）および手動開錠（まはたカギでシリンダーを回転して開錠）方式があり、錠前１００のロック状態を解除し、更に錠前のラッチ２が施錠か、または開錠かの状態を知ることができる。
【００１８】
図１および図２に示すとおり、錠前本体１は、納置部１１および固定部１２を含む。そのうち固定部１２は開口１２１を有し、非密閉の円弧形体を形成する。具体的には、錠前本体１はカバー体１０および底板１０Ａを有し、カバー体１０は中空構造で本考案の電動および手動で開閉する錠前１００の部材を収蔵する。更に底板１０Ａはカバー体１０の底面に結合して納置部１１におよび固定部１２に上述の部材を収蔵する。詳述すると、固定部１２は変位溝１２０を有し、且つ変位溝１２０は固定部１２の成型方向に沿いカバー体１０の最上面を貫通して成形される。
【００１９】
図１および図７に示すとおり、本考案の実施例にもとづく電動および手動で開閉する錠前１００において、そのうちラッチ２は引張りばねＳを固定部１２に連接する。詳述すると、手でレバー２０を引きラッチ２を固定部１２から引き出して開口１２１を閉じる。言い換えると、引張りばねＳのバネ力よりも大きい作用力でラッチ２を固定部１２から引き出す。更に引張りばねＳの回復力がラッチ２を固定部１２へ引き戻す。即ち、ラッチ２はバネ回復力で固定部１２へ縮小して引き戻り、引張りばねＳが元の長さに回復する。
【００２０】
図１から図３および図７に示すとおり、ラッチ２は定位孔２１を有し、そのうち定位孔２１はラッチ２側壁面に凹み形成する。ラッチ２は固定部１２の成型方向に沿って移動する方式で固定部１２の中に設置される。ラッチ２は固定部１２から伸び出て開口１２１を塞ぐ時、施錠機能が実行され、且つラッチ２が固定部１２へ縮小して引き戻り開口１２１が開いた状態の時、開錠となる。
【００２１】
更に、図１から図３に示すとおり、ラッチ２は更にレバー２０、結合部２０１および連接部２０２を有する。そのうち結合部２０１はラッチ２の最上面に設置され、且つ連接部２０２はラッチ２の端部に位置する。レバー２０は変位溝１２０を通過して結合部２０１で連接される。開錠状態の時、ユーザーがラッチ２を引張りばねＳより大きいバネ力で引っ張ると、ラッチ２が固定部１２から伸びて開口１２１を塞ぎロック状態にする。連接部２０２は引張りばねＳの一端に接続され、且つ引張りばねＳの別一端は固定部１２の固定構造に接続され、ラッチ２を固定部１２と相互に接続させる。
【００２２】
更に、図１から図３に示すとおり、本考案の実施例にもとづく電動および手動で開閉する錠前１００において、そのうちの固定部１２は円弧形外形で且つ中空構造を有し、更にラッチ２は円弧形構造で固定部１２の中空構造に縮小して引き戻される。更に、ラッチ２は固定部１２から伸びて開口１２１を塞いだ時、固定部１２と円環を塞いだ構成となる。
【００２３】
図３から図６に示すとおり、ストッパー３は定位部３１、当接部３２、支持部３３およびストッパー感知部３４を有する。更に、同時に図１および図２に示すとおり、ストッパー３は錠前本体１の納置部１１に設置され、且つ定位部３１がラッチ２で開口１２１を閉合した時、定位孔２１に挿入してラッチ２の施錠状態を保つ。更に、定位部３１が定位孔２１に挿入されている状況の時、ラッチ２は引張りばねＳのバネ力によって戻り固定部１２に縮小して引き戻されることはなく、電動および手動で開閉する錠前１００のロック状態が保たれる。
【００２４】
詳述すると、図５に示すとおり、本考案の実施例にもとづく電動および手動で開閉する錠前１００において、そのうちストッパー３の定位部３１は円柱体でストッパー３の辺縁から突出する。ストッパー３は変則的な外形の片体であり、定位部３１はストッパー３の片側辺縁から突出する。
【００２５】
図６に示すとおり、本考案の実施例にもとづく電動および手動で開閉する錠前１００において、そのうちストッパー３の当接部３２は開錠シャフト４２を当接するために、ストッパー３に穿設した通孔である。具体的には、当接部３２はＬ形外形に近い多辺形内孔であり、且つ当接部３２はシリンダー４で手動開錠の過程において、回転変位する開錠シャフト４２を当接させる。
【００２６】
図５および図６に示すとおり、本考案の実施例にもとづく電動および手動で開閉する錠前１００において、そのうちストッパー３の支持部３３は作動シャフト５１を当接するために、ストッパー３の辺縁に成形した凹槽である。詳述すると、支持部３３はストッパー３最上部の側辺に位置し、且つ支持部３３はモータ５の電動開錠の過程において回転変位する作動シャフト５１を支持させる。
【００２７】
図２、図３、図６および図７に示すとおり、シリンダー４はカギ孔４１および開錠シャフト４２を有する。シリンダー４は納置部１１に設置し且つカギ孔４１を納置部１１から露出させる。更に、開錠シャフト４２はストッパー３の当接部３２で当接する。カギＫをカギ孔４１に挿入しシリンダー４を回転させて手動開錠を行う時、開錠シャフト４２は回転し且つ当接部３２に対応しストッパー３を変位させる。これらによって、ストッパー３の定位部３１はラッチ２の定位孔２１を離れ、ラッチ２を固定部１２へ縮小して引き戻され開錠状態となる。本考案の具体的実施の過程において、手動開錠が完成し且つ開錠シャフト４２が復位した時、ストッパー３はリターンスプリング（図中未示）の設置によって元設定した位置に回復させ、定位部３１がラッチ２周辺縁で押さえ、ラッチ２が再度開口１２１を閉合した時、定位部３１が定位孔２１に挿入してラッチ２の施錠状態を保てるようにする。当然、本考案はこれらに制限されず、ストッパー３はその他の技術手段に拠って元設定した位置に回復させても良い。
【００２８】
図１から図３に示すとおり、モータ５は作動シャフト５１を有し、且つモータ５は納置部１１に収蔵される。同時に図４から図６に示すとおり、作動シャフト５１はストッパー３の支持部３３に当接する。モータ５が開錠信号を受信すると、作動シャフト５１は回転し且つ支持部３３を押さえてストッパー３を変位させストッパー３の定位部３１をラッチ２の定位孔２１から離す。更に、作動シャフト５１はシャフトセンサー部５１１を有し、そのうちシャフトセンサー部５１１は作動シャフト５１の基台周辺縁壁面に突出して成形される。
【００２９】
図５に示すとおり、本考案の実施例にもとづく電動および手動で開閉する錠前１００において、そのうち作動シャフト５１はモータ５の出力軸５２に相対して偏心設置される。これらにより、モータ５が開錠信号を受信し出力軸５２を回転させると、作動シャフト５１は出力軸５２の動きに伴い回転し、支持部３３を押さえてストッパー３を横方向に移動させる。同様に、電動開錠が完成し且つ作動シャフト５１が復位した時、ストッパー３はリターンスプリング（図中未示）の設置によって元設定した位置に戻り、定位部３１が次にラッチ２の定位孔２１に挿入できるようにさせる。
【００３０】
図１、図２および図４に示すとおり、信号制御装置６は、ストッパー位置センサー６１および作動シャフトセンサー６２を有し、且つ信号制御装置６は納置部１１に設置する。更に詳述すると、信号制御装置６が開錠スマートキーまたはブルーツゥース等の無線信号を感知すると、開錠信号を発信し、モータ５を稼働させる。ストッパー位置センサー６１はストッパー３のストッパー感知部３４を押さえストッパー３の変位状態を感知しストッパー３の施錠、開錠の状態を知ることができる。更に、作動シャフトセンサー６２は作動シャフト５１のシャフトセンサー部５１１で支持し、モータ５の作動シャフト５１の位置を感知する。詳述すると、信号制御装置６は回路板６０を有し、且つストッパー位置センサー６１および作動シャフトセンサー６２は回路板６０に設置する。
【００３１】
図１および図２に示すとおり、本考案の実施例にもとづく電動および手動で開閉する錠前１００において、そのうち信号制御装置６は電池セット６３を有し、モータ５に電源を提供する。そのうち電池セット６３は錠前本体１の納置部１１内に収蔵される。本考案の実施例において、電池セット６３は回路板６０およびモータ５に電気接続する。
【００３２】
図４に示すとおり、本考案の実施例にもとづく電動および手動で開閉する錠前１００において、そのうち信号制御装置６はアンテナ部材６４を有し、開錠スマートキーまたはブルーツゥース等の無線信号を受信する。更にアンテナ部材６４は回路板６０に設置し、ユーザーが携帯する開錠スマートキーまたはブルーツゥース等の無線信号を受信して開錠を行う。
【００３３】
図１、図２および図８に示すとおり、本考案実施例の電動および手動で開閉する錠前１００は、更にカギ孔カバーＢを含む。カギＫをシリンダー４のカギ孔４１から抜いた時、カギ孔カバーＢをカバー体１０の開錠孔および底板１０Ａの貫通孔に設置することで、カギ孔４１を遮蔽して回路板６０のアンテナ部材６４が外界の水分に触れるのを保護する。
【００３４】
上述から分かるとおり、本考案実施例の電動および手動で開閉する錠前１００は、ストッパー３、シリンダー４およびモータ５の間の相対設置によって、本考案が電動開錠（例としてスマートキー、ブルーツゥース等機能の感知開錠）または手動開錠（即ち、カギＫをシリンダー４で回転させて開錠する）方式で錠前のロック状態を解除する。更に、本考案はストッパー位置センサー６１および作動シャフトセンサー６２の設置により、電動および手動で開閉する錠前１００のラッチ２が施錠または開錠の状態を知ることができる。
【００３５】
以上の説明は、本考案の良好な実施例の説明に過ぎず、当領域において通常の知識を有する者であれば、以下の請求範囲上述の説明に基づき、その他の修飾、修正をすることが可能であるが、本考案の考案精神にもとづく僅かな修正等はすべて本考案の請求範囲に含まれるものとする。
【符号の説明】
【００３６】
１００        電動および手動で開閉する錠前
１        錠前本体
１０        カバー体
１０Ａ      底板
１１        納置部
１２        固定部
１２０        変位溝
１２１        開口
２        ラッチ
２０        レバー
２０１        結合部
２０２        連接部
２１        定位孔
３        ストッパー
３１        定位部
３２        当接部
３３        支持部
３４        ストッパー感知部
４        シリンダー
４１        カギ孔
４２        開錠シャフト
５        モータ
５１        作動シャフト
５１１        シャフトセンサー部
５２        出力軸
６        信号制御装置
６０        回路板
６１        ストッパー位置センサー
６２        作動シャフトセンサー
６３        電池セット
６４        アンテナ部材
Ｂ        カギ孔カバー
Ｋ        カギ
Ｓ        引張りばね
【図１】
0003230956.tif 000003
【図２】
0003230956.tif 000004
【図３】
0003230956.tif 000005
【図４】
0003230956.tif 000006
【図５】
0003230956.tif 000007
【図６】
0003230956.tif 000008
【図７】
0003230956.tif 000009
【図８】
0003230956.tif 000010
【手続補正書】
【提出日】令和2年12月25日(2020.12.25)
【手続補正１】
【補正対象書類名】実用新案登録請求の範囲
【補正対象項目名】全文
【補正方法】変更
【補正の内容】
【実用新案登録請求の範囲】
【請求項１】
電動および手動で開閉する錠前において、
納置部および固定部を含み、前記固定部には開口を形成する錠前本体と、
定位孔を有し、前記固定部の成型方向に沿って移動する方式で前記固定部の中に設置され、前記固定部から伸び出て前記開口を閉合すると、施錠機能が実行され、前記固定部へ縮小して引き戻されると、前記開口が表れ、開錠の状態となるラッチと、
定位部、当接部、支持部およびストッパー感知部を有し、前記錠前本体の納置部に設置し、且つ前記定位部が前記ラッチで前記開口を閉合した時、前記定位孔に挿入されて前記ラッチの施錠状態を保つストッパーと、
カギ孔および開錠シャフトを有し、前記納置部に設置し、且つ前記カギ孔を前記納置部から露出させ、更に前記開錠シャフトは前記ストッパーの当接部に当接し、カギを前記カギ孔に挿入して回し手動開錠すると、前記開錠シャフトは回転し且つ前記当接部を押して前記ストッパーを変位させ、前記ストッパーの定位部が前記ラッチの定位孔から離れ、前記ラッチを前記固定部へ縮小して引き入れるシリンダーと、
作動シャフトを有し、前記納置部に設置し、前記作動シャフトは前記ストッパーの支持部で当接し、開錠信号を受信すると、前記作動シャフトが回転して前記支持部を押して前記ストッパーを変位させ、前記ストッパーの定位部を前記ラッチの定位孔から離し、更に前記作動シャフトはシャフトセンサー部を有するモータと、
ストッパー位置センサーと作動シャフトセンサーを有し、前記納置部に設置し、且つ設定した開錠スマートキーまたはブルーツゥースの無線信号を感知すると、開錠信号を発信し、前記ストッパー位置センサーは前記ストッパーのストッパー感知部で支持し、前記ストッパーの変位状態を感知して前記ストッパーの施錠、開錠の状態を知ることができ、更に前記作動シャフトセンサーは前記作動シャフトのシャフトセンサー部で支持し、前記モータの作動シャフトの位置を感知する信号制御装置と、
を含むことを特徴とする電動および手動で開閉する錠前。
【請求項２】
前記固定部は円弧形外形で中空構造であり、且つ前記ラッチは円弧形構造で前記固定部の中空構造に縮小して引き戻り、前記ラッチは前記固定部から伸びて前記開口を塞いだ時、前記固定部と円環を塞いだ構成となることを特徴とする請求項１記載の電動および手動で開閉する錠前。
【請求項３】
前記ラッチは引張りばねで前記固定部に接続し、外からの力が前記引張りばねの弾力より大きいと、前記ラッチを前記固定部から引き出して前記開口を閉合し、更に前記引張りばねの弾力で前記ラッチを引き戻すことを特徴とする請求項１記載の電動および手動で開閉する錠前。
【請求項４】
前記ストッパーの定位部は円柱体で前記ストッパーの辺縁から突出することを特徴とする請求項１記載の電動および手動で開閉する錠前。
【請求項５】
前記ストッパーの当接部は前記開錠シャフトを当接するために、前記ストッパーに穿設した通孔であることを特徴とする請求項１記載の電動および手動で開閉する錠前。
【請求項６】
前記ストッパーの支持部は、前記作動シャフトを当接するために、前記ストッパーの辺縁に凹槽を成形することを特徴とする請求項１記載の電動および手動で開閉する錠前。
【請求項７】
前記作動シャフトは、前記モータの出力軸に相対して偏心設置されることを特徴とする請求項１記載の電動および手動で開閉する錠前。
【請求項８】
前記信号制御装置は電池セットを有し、前記モータに電源を提供することを特徴とする請求項１記載の電動および手動で開閉する錠前。
【請求項９】
前記信号制御装置はアンテナ部材を有し、前記開錠スマートキーまたはブルーツゥースの無線信号を受信することを特徴とする請求項１記載の電動および手動で開閉する錠前。